(57)【特許請求の範囲】
【請求項１】
整列したプラグコンタクトが周壁で囲まれてなる１個のプラグコネクタと、該周壁内側での案内で並んで該プラグコネクタに接続される複数のジャックコネクタとからなる多極コネクタであって、
該ジャックコネクタは、ジャックコネクタ本体と、コネクタカバーと、第１のストレインリリーフと、第２のストレインリリーフとを有し、
該コネクタカバーは、複数の該ジャックコネクタ本体を該周壁内側への挿入部を除く領域で一括して位置決めするものであり、側壁に該第１のストレインリリーフと第２のストレインリリーフとを係止する角孔を有し、
該第１のストレインリリーフは、両側の台座を連結する連結板の幅方向の一方の片側を縮幅して形成された、該ジャックコネクタ本体のそれぞれに繋がる信号線を集めて通す第１の開口部を有し、連結板縮幅側端面と非縮幅側端面とのそれぞれに設けられた突起が該角孔と係合して該ジャックコネクタ本体の信号線導出側端面に固定されており、
該第２のストレインリリーフは、両側の台座を連結する連結板の幅方向の他方の片側を縮幅して形成された、該第１の開口部を通って集められた信号線を通す第２の開口部を有し、側壁に設けられたフック状突起が該角孔と係合して該第１のストレインリリーフの信号線導出側端面に固定されている
ことを特徴とする多極コネクタ。
【発明の詳細な説明】
【０００１】
【発明の属する技術分野】
本発明は複数のコネクタを集合させてなる多極コネクタの構成に係り、特に結線側コネクタの相手コネクタに対する誤挿入防止手段の簡略化や部品点数削減に伴う生産性向上を図ると共に相手コネクタに対する接続／解除時の操作性向上とを図った多極コネクタに関する。
【０００２】
近年の情報処理分野では遣り取りする情報量の増大化や装置としての小型化・低価格化要求等に対応させるため、コネクタとしても複数のコネクタを集合させて多極化する技術が多用されるようになってきている。
【０００３】
この場合、複数の結線側コネクタを相手コネクタに対して確実に接続／解除するのに多くの工数がかかることからその対応が強く望まれている。
【０００４】
【従来の技術】
図１０は従来の多極コネクタの構成を例示説明する図であり、図１１はジャックコネクタの本発明に係わる主要部を説明する図、図１２は多極コネクタとしての接続時の状態を示した図である。
【０００５】
装置側コネクタを回路基板実装用の１個のプラグコネクタとし、該プラグコネクタに対応する結線側コネクタを二列のジャック端子が備えられた複数のジャックコネクタとする場合を例とする図１０で多極コネクタ１は、（１０−１）で示す１個のプラグコネクタ１１と（１０−２）で示す複数のジャックコネクタ１２とからなる。
【０００６】
そしてこの場合のプラグコネクタ１１は、複数のプラグ端子１１１と１個のプラグ絶縁体１１２とからなる。
この内プラグ端子１１１は、一端が直状のプラグコンタクト１１１ａで該コンタクト領域に続く絶縁体固着部１１１ｂから先が直状の外部接続端子１１１ｃに形成されている。
【０００７】
またプラグ絶縁体１１２は、上記プラグ端子１１１の植設域Ａを取り囲む周囲にプラグコンタクト長を僅かに越える高さの周壁１１２ａを備えてなるものであり、該周壁１１２ａの内面が上記ジャックコネクタ１２に対するガイド１１２ｂになるように形成されているが、該周壁内面のジャックコネクタ整列方向片側には該ジャックコネクタ１２の幅ａ1 と等しいピッチｐ1 を保ったそれぞれの位置に該周壁開口側を起点とする線状突起１１２ｂが誤挿入防止手段として形成されている。
【０００８】
そして、複数の上記ジャックコネクタ１２を整列して配置させたときの該コネクタ１２の図示されない各ジャック端子と対応するそれぞれの位置に上記プラグ端子１１１を配置した状態で例えば通常のインサート成形技術によって該絶縁体１１２を成形することで、図示のプラグコネクタ１１が形成されるようになっている。
【０００９】
更に該プラグコネクタ１１を実装する回路基板１５には、該コネクタ１１の各外部接続端子１１１ｃと対応するそれぞれの位置に、図示されない回路パターンに繋がった端子孔１５ａが穿孔されている。
【００１０】
そこで、プラグ絶縁体１１２の底面から突出する上記外部接続端子１１１ｃを該回路基板１５の上記端子孔１５ａに挿入した後に、例えば通常のリフローはんだ接続技術で両者をはんだ接続することで、該プラグコネクタ１１を図示のように回路基板１５に実装することができる。
【００１１】
一方ジャックコネクタ１２は、ジャックコネクタ本体１２１と該ジャックコネクタ本体１２１に装着される信号線固定具としての２個のストレインリリーフ１２５，１２６とで構成されている。
【００１２】
この内ジャックコネクタ本体１２１は、一端に上記プラグコンタクト１１１ａの挿入で該コンタクト１１１ａと接続し得るジャックコンタクトが備えられた図示されないジャック端子１２２が上記プラグ端子１１１用の開口窓１２３ａを介して二列のマトリックス状にジャック絶縁体１２３に埋設されてなるものであるが、該ジャック絶縁体外面のプラグ端子挿入方向稜線の一箇所には上記プラグコネクタ１１の線状突起１１２ｂに対応する凹溝１２３ｂが形成されている。
【００１３】
そして該各ジャック端子１２２の他端には信号線１６が通常のはんだ付け手段等で接続されているが、該各信号線１６の他端側は装置接続用の図示されないコネクタ等に接続されている。
【００１４】
この場合、該各信号線１６に予期しない外力が印加されると上述したジャック端子との接続箇所に該外力に対応する応力がかかってはんだ接続域に損傷を与える場合がある。
【００１５】
そこで、上記ジャック絶縁体１２３の信号線接続部側に第１のストレインリリーフ１２５と第２のストレインリリーフ１２６とを積み重ねるように装着して所要のジャックコネクタ１２を構成するようにしている。
【００１６】
ここで理解し易くするため、該ジャックコネクタ１２の構成を先に図１１で説明する。
すなわちジャックコネクタ１２の本発明にかかわる主要部を説明する図１１で、（１１−１）はジャックコネクタ本体１２１の信号線接続部側の構成例をストレインリリーフと共に示し、（１１−２）はストレインリリーフ装着時の状態を断面視して示したものである。
【００１７】
図の（１１−１）で、ジャックコネクタ本体１２１の信号線接続部側には図示されないジャック端子１２２の上述した他端を形成する外部接続端子１２２ａが露出して位置していると共に、上記ジャック絶縁体１２３の外部接続端子配置領域を取り囲む周壁１２３ｂの端子列方向両サイドのそれぞれには角孔１２３ｄが設けられている。
【００１８】
一方、平面視サイズが上記ジャック絶縁体１２３の周壁外面に対応する大きさを持つ第１のストレインリリーフ１２５は、その上面１２５ａを該周壁端面１２３ｃに当接させたときの上記各角孔１２３ｄと対応する位置に該各角孔片側半分の領域で該角孔に対応するフック１２５ｂを備えた突起１２５ｃが形成されていると共に、該角孔１２３ｄの残余の領域と対応する領域には厚さ方向に貫通する角形貫通孔１２５ｄが形成されている。
【００１９】
そして、上記突起１２５ｃと該角形貫通孔１２５ｄとの形成域を除く中央域は幅方向片側に縮幅された状態で凹の段差面１２５ｅに形成されている。
また平面視サイズが上記第１のストレインリリーフ１２５と等しい第２のストレインリリーフ１２６は、その上面１２６ａを該第１のストレインリリーフ１２５を介して上記周壁端面１２３ｅに当接させたときの上記各角孔１２３ｄと対応する位置に該角孔１２３ｄに嵌入し得るフック１２６ｂが備えられた突起１２６ｃが、上記角形貫通孔１２５ｄと対応する位置に形成されているものである。
【００２０】
そして、上記突起１２６ｃの形成域を除く中央域は上記第１のストレインリリーフ１２５と逆の幅方向片側に縮幅された凹の段差面１２６ｅに形成されているものである。
【００２１】
そこで、該第２のストレインリリーフ１２６の各突起１２６ｃを矢印Ｂのように第１のストレインリリーフ１２５の角形貫通孔１２５ｄに挿入した後、該第２のストレインリリーフ１２６を第１のストレインリリーフ１２５と共に矢印Ｃのように上記ジャック絶縁体１２３の周壁内に挿入すると、第１のストレインリリーフ１２５のフック１２５ｂと第２のストレインリリーフ１２６のフック１２６ｂとを同時にジャック絶縁体１２３の角孔１２３ｄに嵌入させられるので、該第１のストレインリリーフ１２５と第２のストレインリリーフ１２６が装着されたジャックコネクタ１２を断面視した（１１−２）に示すように構成することができる。
【００２２】
かかるジャックコネクタ１２では、ジャック端子１２２の上述した外部接続端子１２２ａに接続されている信号線１６が第１のストレインリリーフ１２５の縮幅域１２５′と第２のストレインリリーフ１２６の縮幅域１２６′とを矢印Ｄ1 ，Ｄ2 ，Ｄ3 のように屈曲して通過するので、該信号線１６に外力が印加されたときでも上記ジャック端子との接続箇所への該外力による応力の負荷を抑制することができて、信号線１６にかかる外力に強いジャックコネクタ１２を図１０に示すように構成することができる。
【００２３】
そこで、ジャックコネクタ１２の上記凹溝１２３ｂがプラグコネクタ１１の線状突起１１２ｂと合致するように、該ジャックコネクタ１２を矢印Ｅのようにプラグコネクタ１１に挿入することで、複数のジャックコネクタ１２が装着された状態の多極コネクタ１を図１２で示すように構成することができる。
【００２４】
【発明が解決しようとする課題】
かかる多極コネクタ１では、個々のジャックコネクタ１２を順次プラグコネクタ１１に挿入することで、回路基板１５上の複数の回路と装置側の複数の信号線１６とが確実に接続できるメリットがある。
【００２５】
しかし上記の多極コネクタ１では、回路基板上の回路と装置側の信号線とを接続／解除するのに個々のジャックコネクタを挿入／抜去しなければならないことから接続／解除時の作業工数がかかって作業効率の向上を期待することができないと言う問題があり、また多極コネクタとして構成するのに複数のジャックコネクタのそれぞれに対応する誤挿入防止機構と各複数のストレインリリーフを付加する必要とがあるため、生産性の向上を期待することができないと言う問題があった。
【００２６】
【課題を解決するための手段】
上記課題は、整列したプラグコンタクトが周壁で囲まれてなる１個のプラグコネクタと、該周壁内側での案内で並んで該プラグコネクタに接続される複数のジャックコネクタとからなる多極コネクタであって、該ジャックコネクタは、ジャックコネクタ本体と、コネクタカバーと、第１のストレインリリーフと、第２のストレインリリーフとを有し、
該コネクタカバーは、複数の該ジャックコネクタ本体を該周壁内側への挿入部を除く領域で一括して位置決めするものであり、側壁に該第１のストレインリリーフと第２のストレインリリーフとを係止する角孔を有し、該第１のストレインリリーフは、両側の台座を連結する連結板の幅方向の一方の片側を縮幅して形成された、該ジャックコネクタ本体のそれぞれに繋がる信号線を集めて通す第１の開口部を有し、連結板縮幅側端面と非縮幅側端面とのそれぞれに設けられた突起が該角孔と係合して該ジャックコネクタ本体の信号線導出側端面に固定されており、該第２のストレインリリーフは、両側の台座を連結する連結板の幅方向の他方の片側を縮幅して形成された、該第１の開口部を通って集められた信号線を通す第２の開口部を有し、側壁に設けられたフック状突起が該角孔と係合して該第１のストレインリリーフの信号線導出側端面に固定されている多極コネクタによって解決される。
【００２７】
複数のジャックコネクタを一括してプラグコネクタに対して接続／解除し得るように多極コネクタを構成すると、接続／解除時の作業工数が削減できて作業効率の向上を実現することができる。
【００２８】
また複数のジャックコネクタ本体で１個のジャックコネクタを構成すると、ストレインリリーフの数が減らせると同時に多極コネクタとしての誤挿入防止機構の数が減らせるので生産性の向上を実現することができる。
【００２９】
そこで本発明では、複数のジャックコネクタ本体で１個のジャックコネクタを構成した上で、１個のプラグコネクタと複数の該ジャックコネクタとで多極コネクタを実現するようにしている。
【００３０】
従って上述した作業効率の向上と生産性の向上とが同時に実現できる多極コネクタを得ることができる。
【００３１】
【発明の実施の形態】
図１は本発明になる多極コネクタの構成を説明する図であり、図２はジャックコネクタ本体を説明する図、図３はコネクタカバーを説明する図、図４は第１のストレインリリーフを説明する図、図５は第２のストレインリリーフを説明する図、図６はジャックコネクタの組立状態を説明する図（その１）、図７はジャックコネクタの組立状態を説明する図（その２）、図８はジャックコネクタにおける信号線状態を説明する図、図９は本発明になる多極コネクタの他の構成例を示した図である。
【００３２】
なお図ではいずれも図１０で説明した多極コネクタ１に本発明技術を適用させる場合を例としているので、図１０乃至図１２と同じ対象部材や部位には同じ記号を付していると共に重複する説明についてはそれを省略する。
【００３３】
ジャックコネクタが２個のジャックコネクタ本体で構成されている場合を例とする図１で、（１−１）は多極コネクタとしての構成を示し、（１−２）はプラグコネクタとジャックコネクタを接続させたときの状態を示したものである。
【００３４】
図の（１−１）で本発明になる多極コネクタ３は、１個のプラグコネクタ３１と複数のジャックコネクタ３２とからなる。
そして、この場合のプラグコネクタ３１は図１０で説明したプラグコネクタ１１と同じ構成になるものであるが、該プラグコネクタ１１に設けた線状突起１１２ｂのみをジャックコネクタ本体の幅ａ1 の２倍すなわち“２ａ1 ”を僅かに越えるピッチｐ2 に形成したものであり、その他の構成は上記プラグコネクタ１１と同等に形成されているものである。
【００３５】
なお、上記各線状突起１１２ｂ間の隔たりｗはジャックコネクタ本体の幅ａ1 の２倍すなわち“２ａ1 ”と合致するようになっている。
そこで、プラグコネクタ３１の底面から突出するプラグ端子１１１の外部接続端子１１１ｃを、図１０で説明した回路基板１５の端子孔１５ａに挿入した後に図１０同様の手段で両者をはんだ接続することで、該プラグコネクタ３１を図示のように回路基板１５に実装することができる。
【００３６】
またジャックコネクタ３２は、２個のジャックコネクタ本体３２１と該各ジャックコネクタ本体３２１を連接して一体化させるカバー３２３と、該カバー３２３への係合で上記２個のジャックコネクタ本体３２１に装着される第１及び第２のストレインリリーフ３２４と３２５とからなるものである。
【００３７】
そして、信号線１６がそれぞれ接続されている上記２個のジャックコネクタ本体３２１を密着させた状態でカバー３２３に嵌め込み、更に該カバー３２３との係合で上記第１のストレインリリーフ３２４を装着してジャックコネクタ本体とコネクタカバーと該第１のストレインリリーフとを一体化させた後、上記カバー３２３との係合で第２のストレインリリーフ３２５を装着して該第２のストレインリリーフをも一体化させたジャックコネクタ３２を図に示すように構成するようにしている。
【００３８】
なお、前記プラグコネクタ３１における線状突起１１２ｂ間のピッチｐ2 は上記第２のストレインリリーフ３２５の幅ａ2 と等しくなるように形成されているので、プラグコネクタ３１の２個の該線状突起１１２ｂ間に複数の該ジャックコネクタ３２を例えば矢印Ｆ1 ，Ｆ2 のように挿入することで、複数の該ジャックコネクタ３２が接続された状態の多極コネクタ３を（１−２）に示すように構成することができる。
【００３９】
ここでコネクタとしての構成を理解し易くするため、図１０の場合と同様に先に該ジャックコネクタ３２の詳細を図２乃至図５で説明する。
ジャックコネクタ本体を説明する図２で、（イ）は全体斜視図を示しまた（ロ）は一部を断面視した側面図である。
【００４０】
すなわち図２でジャックコネクタ本体３２１は、図１１で説明した複数のジャック端子１２２と該各ジャック端子１２２を二列のマトリックス状に植設するジャック絶縁体３２２とからなる。
【００４１】
そして特にこの場合のジャック絶縁体３２２は、図１１で説明したジャック絶縁体１２３における凹溝１２３ｂをなくすと共に、周壁１２３ｃの端子列方向両サイドの周壁端面１２３ｅ側に周壁面１２３ｃ′に沿う位置決め溝３２２ａを備えて該周壁面１２３ｃ′から端子列方向外側に突出する突起３２２ｂを形成したものであり、その他の領域は上記ジャック絶縁体１２３と同等に形成されているものである。
【００４２】
そこで、上記ジャック端子１２２を図１１のように該ジャック絶縁体３２２に植設した後、図示されない端部で装置側コネクタに接続されている信号線１６を該ジャック端子１２２の外部接続端子１２２ａに接続することで、所要のジャックコネクタ本体３２１を図示のように構成することができる。
【００４３】
また図３でコネクタカバー３２３は、平行して対面する側壁３２３ａ（３２３ａ1 と３２３ａ2 ）がそれぞれの長手方向両端に設けた２個の連結片３２３ｂの領域でコ字形に折り曲げ形成されてなるものである。
【００４４】
そして、図１で説明した“２ａ1 ”の間隔を保って対面する２個の側壁３２３ａのそれぞれには、長手方向に沿う線上の上記各連結片３２３ｂと対応する領域近傍の２箇所とその内側２箇所の計４箇所に角孔３２３ｃ（３２３ｃ1 〜３２３ｃ4 ）が形成されている。
【００４５】
なお上記２個の連結片３２３ｂは、それぞれの幅ｂが図２で説明したジャック絶縁体３２２における位置決め溝３２２ａに嵌入し得る幅に形成されていると共に、該各連結片３２３ｂ間のピッチｐ3 は上記ジャック絶縁体３２２における上述した位置決め溝間ピッチｃと合致するようになっている。
【００４６】
従って、該コネクタカバー３２３の側壁間に密着状態にした上記２個のジャックコネクタ本体３２１を挿入することで、該コネクタカバー３２３の各連結片３２３ｂの該ジャックコネクタ本体３２１の上位位置決め溝３２２ａへの嵌入で該２個のジャックコネクタ本体３２１を該コネクタカバー３２３に位置決め保持させることができるが、この状態で上記側壁３２３ａの領域がジャックコネクタ本体３２１から突出するようになっている。
【００４７】
一方第１のストレインリリーフを説明する図４で、（イ）は全体の斜視図を示したものであり、（ロ）は該（イ）をうしろ側すなわち矢印Ｇ方向から見て示した斜視図である。
【００４８】
図で絶縁材からなる第１のストレインリリーフ３２４は、上記ジャックコネクタ本体３２１におけるジャック絶縁体３２２の各突起３２２ｂと対応して位置する該各突起３２２ｂとほぼ同じ平面視サイズの２個の台座３２４ａの間が、該台座表面３２４ｂから低く形成された凹の段差面３２４ｃを備えて幅方向片側に縮幅された連結板３２４ｄで繋がれた平面視形状をなすものである。
【００４９】
そして上記各台座３２４ａの連結板縮幅側端面３２４ｅには、図３で説明したコネクタカバー３２３の角孔３２３ｃ1 と３２３ｃ4 とに対応するそれぞれの位置に該各角孔３２３ｃに嵌入し得る大きさの突起３２４ｆが３２２ｆ1 ，３２４ｆ4 として形成されている。
【００５０】
また上記連結板３２４ｄの非縮幅側端面３２４ｇには、上記コネクタカバー３２３の角孔３２３ｃ2 と３２３ｃ3 とに対応するそれぞれの位置に該各角孔３２３ｃに嵌入し得る大きさの突起３２４ｆが３２４ｆ2 ，３２４ｆ3 として形成されている。
【００５１】
そして、２個のジャックコネクタ本体３２１を上述したように図３で説明したコネクタカバー３２３に挿入した状態で、該第１のストレインリリーフ３２４の台座表面３２４ｂを前記ジャックコネクタ本体３２１の周壁端面１２３ｅに当接させたときに、該第１のストレインリリーフ３２４の４個の突起３２４ｆがコネクタカバー３２３の対応する上記角孔３２３ｃに嵌入し得るようになっている。
【００５２】
他方第２のストレインリリーフを説明する図５で、（イ）は全体の斜視図を示したものであり、（ロ）は該（イ）を図４同様にうしろ側すなわち矢印Ｇ方向から見て示した斜視図である。
【００５３】
そして第１のストレインリリーフ３２４と同じ材料からなるこの場合の該第２のストレインリリーフ３２５は、該第１のストレインリリーフ３２４の連結板縮幅側端面３２４ｅと非縮幅側端面３２４ｇとの各領域に側壁を付加したものであるため、該第１のストレインリリーフ３２４と同じ部位には同一の記号を付して表わしている。
【００５４】
すなわち図６で第２のストレインリリーフ３２５は、上記第１のストレインリリーフ３２４における２箇所の連結板縮幅側端面３２４ｅと１箇所の非縮幅側端面３２４ｇとの双方に、図３で説明したコネクタカバー３２３の側壁３２３ａが接した状態で挿入できるように形成した溝３２５ａを介して側壁３２５ｂと３２５ｄを追加して形成したものである。
【００５５】
そして連結板縮幅側端面３２４ｅ側の２個の側壁３２５ｂそれぞれの内側には、上記コネクタカバー３２３の角孔３２３ｃ1 と３２３ｃ4 とに対応するそれぞれの位置に該各角孔３２３ｃに嵌入し得る大きさのフック状突起突起３２５ｃが３２５ｃ1 ，３２５ｃ4 として形成されている。
【００５６】
また、非縮幅側端面３２４ｇ側の１個の側壁３２５ｄの内側には、上記コネクタカバー３２３の角孔３２３ｃ2 と３２３ｃ3 とに対応するそれぞれの位置に該各角孔３２３ｃに嵌入し得る大きさのフック状突起突起３２５ｃが３２５ｃ2 ，３２５ｃ3 として形成されている。
【００５７】
そして、該第２のストレインリリーフ３２５における台座３２４ａの台座表面３２４ｂを上記第１のストレインリリーフ３２４の台座下面３２４ｈと当接させた状態では、該第２のストレインリリーフ３２５における上記フック状突起３２５ｃと第１のストレインリリーフ３２４における突起３２４ｆが一列に整列するようになっている。
【００５８】
従って該第２のストレインリリーフ３２５を上述した第１のストレインリリーフ３２４と組み合わせてコネクタカバー３２３に係合させると、該第２のストレインリリーフ３２５の連結板３２４ｄを縮幅させたときに形成される第２の開口部３２５′と上記第１のストレインリリーフ３２４の連結板３２４ｄを縮幅させたときに形成される第１の開口部３２４′とが逆方向に位置することとなる。
【００５９】
ここで上記第１のストレインリリーフ３２４の装着状態を図６で説明し、また上記第２のストレインリリーフ３２５の装着状態を図７で説明する。
すなわち、第１のストレインリリーフ３２４の装着状態を説明する図６で、（６−１）は装着装着順を示し、（６−２）は装着後の状態を示した図である。
【００６０】
すなわち図の（６−１）で、信号線１６に接続された状態の２個のジャックコネクタ本体３２１を図３で説明したコネクタカバー３２３の２個の側壁３２３ａの間に矢印Ｈ1 ，Ｈ2 のように挿入して該コネクタカバー３２３の各連結片３２３ｂを該各ジャックコネクタ本体３２１の位置決め溝３２２ａに嵌入させた後、該各ジャックコネクタ本体３２１に繋がる信号線１６を例えば束ねた状態で上記第１のストレインリリーフ３２４の上述した第１の開口部３２４′に配置した上で、該第１のストレインリリーフ３２４を該コネクタカバー３２３の２個の側壁間に矢印Ｈ3 のように挿入する。
【００６１】
このとき、該第１のストレインリリーフ３２４の台座表面３２４ｂは上記各ジャックコネクタ本体３２１の突起３２２ｂを上方に押圧するが、同時に該第１のストレインリリーフ３２４の突起３２４ｆ1 と３２４ｆ4 とがコネクタカバー３２３の側壁３２３ａ1 における角孔３２３ｃ1 と３２３ｃ4 に挿入され、また該第１のストレインリリーフ３２４の図示されない突起３２４ｆ2 と３２４ｆ3 とがコネクタカバー３２３の側壁３２３ａ2 における角孔３２３ｃ2 と３２３ｃ3 に挿入されるので、結果的に２個のジャックコネクタ本体３２１とコネクタカバー２３３および第１のストレインリリーフ３２４とが一体化されたジャックコネクタ半完成体３２′を（６−２）に示すように構成することができる。
【００６２】
なおこのジャックコネクタ半完成体３２′では、束ねられた上記信号線１６は第１のストレインリリーフ３２４の上記第１の開口部３２４′とコネクタカバー２３３に挟まれて位置することとなる。
【００６３】
一方、図６で説明したジャックコネクタ半完成体に第２のストレインリリーフを装着する状態を説明する図７で、（７−１）は装着順を示しまた（７−２）は装着後の状態を示した図である。
【００６４】
すなわち図の（７−１）で、ジャックコネクタ半完成体３２′には上述したように束ねられた状態の信号線１６が第１のストレインリリーフ３２４の第１の開口部３２４′から導出されている。
【００６５】
そこで該信号線１６の束を上記第２のストレインリリーフ３２５の連結板３２４ｄを縮幅したときに形成される第２の開口部３２５′に配置した上で、該第２のストレインリリーフ３２５をコネクタカバー３２３の２個の側壁間に矢印Ｈ4 のように挿入する。
【００６６】
このときコネクタカバー３２３の各側壁３２３ａは図６で説明した溝３２５ｅに挿入されるが、該第２のストレインリリーフ３２５の台座表面３２４ｂが上記第１のストレインリリーフ３２４の台座下面３２４ｈと当接した時点で、該第２のストレインリリーフ３２５のフック状突起３２５ｃ1 と３２５ｃ4 とがコネクタカバー３２３の図示されない側壁３２３ａ2 における角孔３２３ｃ1 と３２３ｃ4 とに嵌入され、また該第２のストレインリリーフ３２５の図示されないフック状突起３２５ｃ2 と３２５ｃ3 とがコネクタカバー３２３の側壁３２３ａ1 における角孔３２３ｃ2 と３２３ｃ3 とに嵌入されるので、結果的に該ジャックコネクタ半完成体３２′と第２のストレインリリーフ３２５とが一体化されたジャックコネクタ３２を（７−２）に示すように構成することができる。
【００６７】
そしてこのときのジャックコネクタ３２では、束ねられた上記信号線１６が第２のストレインリリーフ３２５の上述した上記第２の開口部３２５′とコネクタカバー２３３に挟まれた領域から導出されることとなる。
【００６８】
ジャックコネクタとして構成するときの信号線配置状態を一部断面視して示した図８で、（８−１）はジャックコネクタ本体の状態を示し、（８−２）はジャックコネクタ半完成体としての状態を示し、また（８−３）はジャックコネクタとしての信号線配置状態を示したものである。
【００６９】
すなわち図の（８−１）で、個々のジャックコネクタ本体３２１では複数の信号線１６が任意の方向に導出されている。
そして（８−２）で示すジャックコネクタ半完成体３２′では、任意の方向に導出された各信号線１６が束ねられた状態でコネクタカバー３２３の側壁３２３ａと第１のストレインリリーフ３２４の第１の開口部３２４′に挟まれた状態で該第１の開口部３２４′から導出されている。
【００７０】
更に（８−３）の状態では、上記第１のストレインリリーフ３２４における第１の開口部３２４′と逆位置にある第２のストレインリリーフ３２５の第２の開口部３２５′とコネクタカバー３２３の側壁３２３ａとに挟まれた状態で該第２の開口部３２５′から導出されるので、図１の（１−２）で示した状態にすることができる。
【００７１】
なお、上記説明ではコネクタカバー３２３と第１および第２のストレインリリーフ３２４，３２５とを係合させる手段を該コネクタカバー３２３の側壁３２３ａに設けた各４個の角孔３２３ｃで構成しているが、各４個に限定されるものでなく４個以上であれば如何なる数でも確実な係合を実現することができる。
【００７２】
図９は本発明になる多極コネクタの他の構成例を示した図であり、（９−１）は多極コネクタとしての構成を示し、また（９−２）はプラグコネクタとジャックコネクタを接続させたときの状態を示したものである。
【００７３】
図の（９−１）で多極コネクタ４は、１個のプラグコネクタ４１と３個以上複数のジャックコネクタ本体を一体化したジャックコネクタ４２とからなるものである。
【００７４】
そして、この場合のプラグコネクタ４１は図１０で説明したプラグコネクタ１１と同じ構成になるものであるが、該プラグコネクタ１１に設けた線状突起１１２ｂのみを上記ジャックコネクタ４２に対応させて形成したものであり、その他の構成は上記プラグコネクタ１１と同等に形成されているものである。
【００７５】
なお、上記各線状突起１１２ｂ間の隔たりｗ1 はジャックコネクタ４２としての幅ａ3 と合致するようになっている。
そこで、該プラグコネクタ４１の底面から突出するプラグ端子の外部接続端子１１１ｃを、図１０の場合と同様に該回路基板１５に設けた端子孔に挿入し両者をはんだ接続することで、該プラグコネクタ４１を図示のように回路基板１５に実装することができる。
【００７６】
またジャックコネクタ４２は、３個以上複数のジャックコネクタ本体３２１と該各ジャックコネクタ本体３２１を連接して一体化させる図３同様のコネクタカバー４２１と、該カバー４２１への係合で上記３個以上複数のジャックコネクタ本体３２１に装着される第３および第４のストレインリリーフ４２２と４２３とからなるものである。
【００７７】
そしてコネクタカバー４２１は、図３のコネクタカバー３２３における側壁３２３ｃ間の隔たり換言すれば連結片３２３ｂの長さを３個以上複数のジャックコネクタ本体３２１を密着させたときの全幅に対応して形成したものであり、その他の領域は上記コネクタカバー３２３と同等のものである。
【００７８】
また第３のストレインリリーフ４２２は、図４で説明した第１のストレインリリーフ３２４の台座３２４ａの長さのみを上記コネクタカバー４２１における側壁３２３ｃ間の隔たりに対応するように変えたものであり、また第４のストレインリリーフ４２３もその台座３２４ａの長さのみを上記第３のストレインリリーフ４２２と同様に形成したせのである。
【００７９】
そこで図５で説明したように、信号線１６がそれぞれ接続されている３個以上複数のジャックコネクタ本体３２１を密着させてコネクタカバー４２１に嵌め込み、更に該カバー４２１との係合で上記第３のストレインリリーフ４２２を装着し、更に第４のストレインリリーフ４２３を装着することで、３個以上複数のジャックコネクタ本体３２１とコネクタカバー４２１および第３，第４のストレインリリーフ４２２，４２３が一体化されたジャックコネクタ４２を図に示すように構成することができる。
【００８０】
そこで、上記プラグコネクタ４１に設けた線状突起１１２ｂをガイドとして複数の該ジャックコネクタ４２を矢印Ｆ3 のように該プラグコネクタ４１に挿入することで、複数のジャックコネクタ４２が接続された状態の多極コネクタ４を（９−２）に示すように構成することができる。
【００８１】
かかる構成になるジャックコネクタ４２を備えた多極コネクタ４では、図１で説明した多極コネクタ３よりも更にストレインリリーフの数が減らせると同時に、プラグコネクタ４１に対するジャックコネクタ４２としての数が減らせることから誤挿入抑制手段の減少と接続／解除時の更なる操作性向上とが実現できるメリットがある。
【００８２】
【発明の効果】
上述の如く本発明により、結線側コネクタの相手コネクタに対する誤挿入防止手段の簡略化と部品点数削減に伴う生産性向上および相手コネクタに対する接続／解除時の操作性向上とを図った多極コネクタを提供することができる。
【００８３】
なお本発明の説明では端子列が２列である場合を例としているが、該端子列は４列に限定されるものでなく如何なる列数のコネクタに本発明を適用させても同等の効果が得られることは明らかである。
【図面の簡単な説明】
【図１】  本発明になる多極コネクタの構成を説明する図。
【図２】  ジャックコネクタ本体を説明する図。
【図３】  コネクタカバーを説明する図。
【図４】  第１のストレインリリーフを説明する図。
【図５】  第２のストレインリリーフを説明する図。
【図６】  ジャックコネクタの組立状態を説明する図（その１）。
【図７】  ジャックコネクタの組立状態を説明する図（その２）。
【図８】  ジャックコネクタにおける信号線状態を説明する図。
【図９】  本発明になる多極コネクタの他の構成例を示した図。
【図１０】  従来の多極コネクタの構成を例示説明する図。
【図１１】  ジャックコネクタの本発明に係わる主要部を説明する図。
【図１２】  多極コネクタとしての接続時の状態を示した図。
である。
【符号の説明】
３，４          多極コネクタ
１５            回路基板
１５ａ          端子孔
１６            信号線
３１，４１      プラグコネクタ
３２，４２      ジャックコネクタ
３２′          ジャックコネクタ半完成体
１１１          プラグ端子
１１１ａ        プラグコンタクト
１１１ｃ，１２２ａ    外部接続端子
１１２          プラグ絶縁体
１１２ａ，１２３ｃ    周壁
１１２ｂ        線状突起
１２２          ジャック端子
１２２ｂ        ジャックコンタクト
１２３ａ        開口窓
１２３ｃ′      周壁面
１２３ｅ        周壁端面
３２１          ジャックコネクタ本体
３２２          ジャック絶縁体
３２２ａ        位置決め溝
３２２ｂ，３２４ｆ，３２４ｆ1 〜３２４ｆ4   突起
３２３，４２１        コネクタカバー
３２３ａ，３２３ａ1 〜３２３ａ2 ，３２５ｂ，３２５ｄ  側壁
３２３ｂ        連結片
３２３ｃ，３２３ｃ1 〜３２３ｃ4   角孔
３２４，４２２        第１のストレインリリーフ
３２４′        第１の開口部
３２４ａ        台座
３２４ｂ        台座表面
３２４ｃ        凹の段差面
３２４ｄ        連結板
３２４ｅ        連結板縮幅側端面
３２４ｇ        非縮幅側端面
３２４ｈ        台座下面
３２５，４２３        第２のストレインリリーフ
３２５′        第２の開口部
３２５ａ        溝
３２５ｃ，３２５ｃ1 〜３２５ｃ4   フック状突起
３２５ｄ        側壁
【図１】
0003685891.tif 000002
【図２】
0003685891.tif 000003
【図３】
0003685891.tif 000004
【図４】
0003685891.tif 000005
【図５】
0003685891.tif 000006
【図６】
0003685891.tif 000007
【図７】
0003685891.tif 000008
【図８】
0003685891.tif 000009
【図９】
0003685891.tif 000010
【図１０】
0003685891.tif 000011
【図１１】
0003685891.tif 000012
【図１２】
0003685891.tif 000013